(57)【要約】【課題】  ユーザーによる誤操作を低減すること。【解決手段】  複合装置は、サーバーと、ＭＦＰとを備え、ＭＦＰを収容する第１筐体１００Ａと、第１筐体１００Ａの下方に配置され、サーバーを収容する第２筐体２００Ａと、第１筐体１００Ａと第２筐体２００Ａとの間の空間に配置され、光を照射する発光部３００と、を備える。【選択図】        図２
2018137672.tif 000002
【特許請求の範囲】
【請求項１】
サーバーと、画像形成装置とを備えた複合装置であって、
前記画像形成装置を収容する第１筐体と、
前記第１筐体の下方に配置され、前記サーバーを収容する第２筐体と、
前記第１筐体と前記第２筐体との間の空間に配置され、光を照射する発光手段と、を備えた複合装置。
【請求項２】
前記発光手段は、前記第２筐体の上面に光を照射するように照射角度が調整されて配置される、請求項１に記載の複合装置。
【請求項３】
前記発光手段は、前記第２筐体の上面の外縁から第１の距離以上離れた第１の領域に光を照射するように照射範囲が調整されて配置される、請求項２に記載の複合装置。
【請求項４】
前記発光手段は、第１筐体の下面、または、前記第１筐体と前記第２筐体とを結合する結合部材に配置される、請求項１〜３のいずれかに記載の複合装置。
【請求項５】
ユーザーにより入力される操作を受け付ける操作パネルを、さらに備え、
前記発光手段は、前記操作パネルの下方を除く位置に配置される、請求項１〜４のいずれかに記載の複合装置。
【請求項６】
前記第２筐体の上面で前記第２筐体の上面の外縁からの距離が第２の距離以下の第２の領域の光の反射率は、前記第２筐体の上面の前記第２の領域部以外の領域の反射率より低い、請求項１〜５のいずれかに記載の複合装置。
【請求項７】
前記発光手段は、水平方向に沿って配置された複数の光源を含み、
前記画像形成装置の状態を検出する装置状態検出手段と、
前記検出された状態に基づいて、前記複数の光源の照射態様を制御する発光制御手段と、をさらに備えた請求項１〜６のいずれかに記載の複合装置。
【請求項８】
前記発光制御手段は、前記複数の光源のうちから１以上の光源を、照射態様を変更する変更対象に決定する光源決定手段を含む、請求項７に記載の複合装置。
【請求項９】
前記光源決定手段は、前記装置状態検出手段により前記画像形成装置に発生したエラーが検出される場合、前記検出されたエラーに基づいて、前記第１筐体の複数の側面のいずれかを決定し、前記決定された側面に沿って配列される１以上の光源を変更対象に決定する、請求項７に記載の複合装置。
【請求項１０】
前記第１筐体は、前記複数の側面の少なくとも１つに内部を開放するための開放手段を備え、
前記光源決定手段は、前記画像形成装置に発生したエラーに対して予め定められた開放手段を有する側面を決定する、請求項９に記載の複合装置。
【請求項１１】
前記光源決定手段は、前記装置状態検出手段によりユーザーにより入力される操作により生じるエラーが検出される場合、前記第１筐体の前記複数の側面のうち前記ユーザーにより入力される操作がされた側面を決定する、請求項９または１０に記載の複合装置。
【請求項１２】
前記発光制御手段は、変更対象に決定された前記１以上の光源の光量、照射角度、色および点灯時間の１以上を変更する、請求項８〜１１のいずれかに記載の複合装置。
【請求項１３】
前記発光制御手段は、変更対象に決定された前記１以上の光源が配置される対象側面と隣り合う２つの側面それぞれに沿って配置された２以上の光源を誘導対象に決定し、前記２つの側面それぞれにおいて、前記誘導対象に決定された２以上の光源の照射態様を変更する誘導制御手段を、さらに含む、請求項９〜１２のいずれかに記載の複合装置。
【請求項１４】
前記誘導制御手段は、前記２つの側面それぞれにおいて、前記誘導対象に決定された２以上の光源を、前記対象側面から遠い側から近い側に順に連鎖点灯する、請求項１３に記載の複合装置。
【請求項１５】
前記画像形成装置は、画像が形成される予定の用紙を収容する収納手段を、さらに備え、
前記光源決定手段は、前記収納手段に収容される用紙が存在しない状態がエラーとして検出される場合、前記複数の光源のうち前記収納手段が開く対象側面に沿って配置された１以上の光源を変更対象に決定し、
前記誘導制御手段は、前記対象側面と隣り合う２つの側面それぞれにおいて、前記対象側面に最も近い１つの光源を点灯し、残りの１以上の光源を消灯する、請求項１４に記載の複合装置。
【請求項１６】
前記第１筐体と前記第２筐体との間の空間の明るさを検出する照度検出手段を、さらに備え、
前記発光制御手段は、前記検出された明るさに基づいて、前記発光手段の光量を決定する、請求項１〜１５のいずれかに記載の複合装置。
【請求項１７】
前記サーバーの状態を検出するサーバー状態検出手段を、さらに備え、
前記発光制御手段は、前記サーバー状態検出手段により前記サーバーで発生したエラーが検出されることに応じて、前記発光手段の照射態様を変化させる、請求項１〜１６のいずれかに記載の複合装置。
【請求項１８】
前記発光制御手段は、前記発光手段の光量、色および点灯時間の１以上を変更する、請求項１７に記載の複合装置。
【請求項１９】
画像を表示する表示手段を、さらに備え、
前記表示手段は、前記サーバーに発生したエラーを通知するための画面を表示する、請求項１７または１８に記載の複合装置。
【請求項２０】
サーバーと、画像形成装置とを備えた複合装置で実行される状態通知方法であって、
前記画像形成装置を収容する第１筐体と、
前記第１筐体の下方に配置され、前記サーバーを収容する第２筐体と、
前記第１筐体と前記第２筐体との間の空間に配置され、水平方向に沿って配置された複数の光源を有する発光手段と、を備え、
前記画像形成装置の状態を検出する装置状態検出ステップと、
前記検出された状態に基づいて、前記複数の光源の照射態様を制御する発光制御ステップと、を前記サーバーに実行させる状態通知方法。
【請求項２１】
サーバーと、画像形成装置とを備えた複合装置において、前記サーバーを制御するコンピューターで実行される状態通知プログラムであって、
前記画像形成装置を収容する第１筐体と、
前記第１筐体の下方に配置され、前記サーバーを収容する第２筐体と、
前記第１筐体と前記第２筐体との間の空間に配置され、水平方向に沿って配置された複数の光源を有する発光手段と、を備え、
前記画像形成装置の状態を検出する装置状態検出ステップと、
前記検出された状態に基づいて、前記複数の光源の照射態様を制御する発光制御ステップと、を前記コンピューターに実行させる状態通知プログラム。
【発明の詳細な説明】
【技術分野】
【０００１】
この発明は、複合装置、状態通知方法および状態通知プログラムに関し、特に、サーバーと画像形成装置とを備えた複合装置、その複合装置で実行される状態通知方法および状態通知プログラムに関する。
【背景技術】
【０００２】
近年、複合機（ＭＦＰ）で代表される画像形成装置は、画像形成機能に加えてサーバー機能を有するものが登場している。この種の画像形成装置において、画像形成機能とサーバー機能とを独立して動作することが可能である。このため、画像形成機能にエラーが発生した場合であってもサーバー機能は正常に動作する場合があり、逆に、サーバー機能にエラーが発生した場合であっても画像形成機能は正常に動作する場合がある。
【０００３】
装置の状態を通知する技術として、特開２０１２−１０１３７号公報には、複数のＬＥＤが配置された操作表示部を装置本体の上部に備える画像形成装置において、操作表示部に配置されたＬＥＤからの光が装置本体の上面と前面に跨がって出射するよう構成するとともに、少なくとも点灯・消灯・点滅するＬＥＤの数と配置の組み合わせによって画像形成装置の動作状態に関する各種情報を発信するようにした画像形成装置が記載されている。
【０００４】
しかしながら、特開２０１２−１０１３７号公報に記載の技術においては、ＬＥＤからの光が、画像形成機能のエラーとサーバー機能のエラーとの区別がつきにくいため、ユーザーが混乱して誤ったエラー対応をしてしまう場合があるといった問題がある。例えば、画像形成機能にエラーが発生した場合に、ユーザーが画像形成機能のエラーを回復するために、誤ってサーバー機能を停止させてしまう等の誤操作をしてしまう場合があるといった問題がある。
【特許文献１】特開２０１２−１０１３７号公報
【発明の概要】
【発明が解決しようとする課題】
【０００５】
この発明は上述した問題点を解決するためになされたもので、この発明の目的の一つは、ユーザーによる誤操作を低減した複合装置を提供することである。
【０００６】
この発明の他の目的の一つは、ユーザーによる誤操作を低減するとともに装置の状態を通知可能な状態通知方法を提供することである。
【０００７】
この発明のさらに他の目的の一つは、ユーザーによる誤操作を低減するとともに装置の状態を通知可能な状態通知プログラムを提供することである。
【課題を解決するための手段】
【０００８】
この発明は上述した問題点を解決するためになされたもので、この発明のある局面によれば、複合装置は、サーバーと、画像形成装置とを備えた複合装置であって、画像形成装置を収容する第１筐体と、第１筐体の下方に配置され、サーバーを収容する第２筐体と、第１筐体と第２筐体との間の空間に配置され、光を照射する発光手段と、を備える。
【０００９】
この局面に従えば、第１筐体と第２筐体との間の空間から光が照射されるので、サーバーと画像形成装置との境界をユーザーに通知することができる。このため、ユーザーは、サーバーに対する操作と画像形成装置に対する操作とを区別できるので、ユーザーによる誤操作を低減した複合装置を提供することができる。
【００１０】
好ましくは、発光手段は、第２筐体の上面に光を照射するように照射角度が調整されて配置される。
【００１１】
この局面に従えば、第２筐体の上面に光が照射されるので、ユーザーに間接光で通知することができる。
【００１２】
好ましくは、発光手段は、第２筐体の上面の外縁から第１の距離以上離れた第１の領域に光を照射するように照射範囲が調整されて配置される。
【００１３】
この局面に従えば、第２筐体の上面の外縁から第１の距離以上離れた第１の領域に光が照射されるので、複合装置から所定の距離以内に位置するユーザーに第１の領域で反射した光が伝わらないようにすることができ、画像形成装置を操作するユーザーがサーバーの状態を誤解しないようにすることができる。
【００１４】
好ましくは、発光手段は、第１筐体の下面、または、第１筐体と第２筐体とを結合する結合部材に配置される。
【００１５】
好ましくは、ユーザーにより入力される操作を受け付ける操作パネルを、さらに備え、発光手段は、操作パネルの下方を除く位置に配置される。
【００１６】
好ましくは、第２筐体の上面で第２筐体の上面の外縁からの距離が第２の距離以下の第２の領域の光の反射率は、第２筐体の上面の第２の領域部以外の領域の反射率より低い。
【００１７】
この局面に従えば、第２筐体の上面の外縁からの距離が第２の距離以下の第２の領域の光の反射率は、第２筐体の上面の第２の領域部以外の領域の反射率より低いので、複合装置から所定の距離以内に位置するユーザーに、第２筐体の上面の第２の領域以外の領域で反射した光が伝わらないようにすることができ、画像形成装置を操作するユーザーがサーバーの状態を誤解しないようにすることができる。
【００１８】
好ましくは、発光手段は、水平方向に沿って配置された複数の光源を含み、画像形成装置の状態を検出する装置状態検出手段と、検出された状態に基づいて、複数の光源の照射態様を制御する発光制御手段と、をさらに備える。
【００１９】
この局面に従えば、画像形成装置の状態を通知することができる。
【００２０】
好ましくは、発光制御手段は、複数の光源のうちから１以上の光源を、照射態様を変更する変更対象に決定する光源決定手段を含む。
【００２１】
この局面に従えば、複数の光源の一部の照射態様が変更されるので、画像形成装置の状態が変化した部分をユーザーに通知することができる。
【００２２】
好ましくは、光源決定手段は、装置状態検出手段により画像形成装置に発生したエラーが検出される場合、検出されたエラーに基づいて、第１筐体の複数の側面のいずれかを決定し、決定された側面に沿って配列される１以上の光源を変更対象に決定する。
【００２３】
この局面に従えば、画像形成装置に発生したエラーに基づいて、第１筐体の複数の側面のいずれかが決定され、決定された側面に沿って配列される１以上の光源の照射態様が変更するので、画像形成装置のエラーに対応する側面をユーザーに通知することができる。
【００２４】
好ましくは、第１筐体は、複数の側面の少なくとも１つに内部を開放するための開放手段を備え、光源決定手段は、画像形成装置に発生したエラーに対して予め定められた開放手段を有する側面を決定する。
【００２５】
この局面に従えば、画像形成装置のエラーに対する操作をユーザーに通知することができる。
【００２６】
好ましくは、光源決定手段は、装置状態検出手段によりユーザーにより入力される操作により生じるエラーが検出される場合、第１筐体の複数の側面のうちユーザーにより入力される操作がされた側面を決定する。
【００２７】
この局面に従えば、ユーザーにより入力される操作により生じるエラーが検出される場合、ユーザーにより入力される操作がされた側面において、画像形成装置とサーバーとの境界を通知するので、サーバーに対する誤操作を防止することができる。
【００２８】
好ましくは、発光制御手段は、変更対象に決定された１以上の光源の光量、照射角度、色および点灯時間の１以上を変更する。
【００２９】
好ましくは、発光制御手段は、変更対象に決定された１以上の光源が配置される対象側面と隣り合う２つの側面それぞれに沿って配置された２以上の光源を誘導対象に決定し、２つの側面それぞれにおいて、誘導対象に決定された２以上の光源の照射態様を変更する誘導制御手段を、さらに含む。
【００３０】
この局面に従えば、画像形成装置に発生したエラーに対応する面に、ユーザーを誘導することができる。
【００３１】
好ましくは、誘導制御手段は、２つの側面それぞれにおいて、前記誘導対象に決定された２以上の光源を、対象側面から遠い側から近い側に順に連鎖点灯する。
【００３２】
好ましくは、画像形成装置は、画像が形成される予定の用紙を収容する収納手段を、さらに備え、光源決定手段は、収納手段に収容される用紙が存在しない状態がエラーとして検出される場合、複数の光源のうち収納手段が開く対象側面に沿って配置された１以上の光源を変更対象に決定し、誘導制御手段は、対象側面と隣り合う２つの側面それぞれにおいて、対象側面に最も近い１つの光源を点灯し、残りの１以上の光源を消灯する。
【００３３】
この局面に従えば、ユーザーに操作の対象部分を通知することができる。
【００３４】
この局面に従えば、第１筐体と第２筐体との間の空間の明るさを検出する照度検出手段を、さらに備え、発光制御手段は、検出された明るさに基づいて、発光手段の光量を決定する。
【００３５】
この局面に従えば、第１筐体と第２筐体との間の空間の明るさよりも明るい光を照射することができる。
【００３６】
好ましくは、サーバーの状態を検出するサーバー状態検出手段を、さらに備え、発光制御手段は、サーバー状態検出手段によりサーバーで発生したエラーが検出されることに応じて、発光手段の照射態様を変化させる。
【００３７】
この局面に従えば、サーバーで発生したエラーをユーザーに通知することができる。
【００３８】
好ましくは、発光制御手段は、発光手段の光量、色および点灯時間の１以上を変更する。
【００３９】
好ましくは、画像を表示する表示手段を、さらに備え、表示手段は、サーバーに発生したエラーを通知するための画面を表示する。
【００４０】
この局面に従えば、サーバーに発生したエラーを画像でユーザーに通知することができる。
【００４１】
この発明の他の局面によれば、状態通知方法は、サーバーと、画像形成装置とを備えた複合装置で実行される状態通知方法であって、画像形成装置を収容する第１筐体と、第１筐体の下方に配置され、サーバーを収容する第２筐体と、第１筐体と第２筐体との間の空間に配置され、水平方向に沿って配置された複数の光源を有する発光手段と、を備え、画像形成装置の状態を検出する装置状態検出ステップと、検出された状態に基づいて、複数の光源の照射態様を制御する発光制御ステップと、をサーバーに実行させる。
【００４２】
この局面に従えば、ユーザーによる誤操作を低減するとともに装置の状態を通知可能な状態通知方法を提供することができる。
【００４３】
この発明の他の局面によれば、状態通知プログラムは、サーバーと、画像形成装置とを備えた複合装置において、サーバーを制御するコンピューターで実行される状態通知プログラムであって、画像形成装置を収容する第１筐体と、第１筐体の下方に配置され、サーバーを収容する第２筐体と、第１筐体と第２筐体との間の空間に配置され、水平方向に沿って配置された複数の光源を有する発光手段と、を備え、画像形成装置の状態を検出する装置状態検出ステップと、検出された状態に基づいて、複数の光源の照射態様を制御する発光制御ステップと、をコンピューターに実行させる。
【００４４】
この局面に従えば、ユーザーによる誤操作を低減するとともに装置の状態を通知可能な状態通知プログラムを提供することができる。
【図面の簡単な説明】
【００４５】
【図１】本発明の実施の形態の１つにおける複合装置の外観を示す斜視図である。
【図２】図１の点線で示す部分を拡大して示す正面図である。
【図３】第２筐体の平面図である。
【図４】複合装置のハードウェア構成の一例を示すブロック図である。
【図５】サーバーが備える第２ＣＰＵが有する機能の一例を示す図である。
【図６】状態通知処理の流れの一例を示すフローチャートである。
【図７】第１照射態様変更処理の流れの一例を示すフローチャートである。
【図８】第２照射態様変更処理の流れの一例を示すフローチャートである。
【発明を実施するための形態】
【００４６】
以下、本発明の実施の形態について図面を参照して説明する。以下の説明では同一の部品には同一の符号を付してある。それらの名称および機能も同じである。したがってそれらについての詳細な説明は繰返さない。
【００４７】
図１は、本発明の実施の形態の１つにおける複合装置の外観を示す斜視図である。図１を参照して、複合装置１は、ＭＦＰ（Ｍｕｌｔｉ  Ｆｕｎｃｔｉｏｎ  Ｐｅｒｉｐｈｅｒａｌ）１００を収容する第１筐体１００Ａと、サーバー２００を収容する第２筐体２００Ａと、第１筐体１００Ａに設けられた操作パネル１６０とを含む。以下、複合装置１において、操作パネル１６０が配置される面を正面という。
【００４８】
第１筐体１００Ａの下側に第２筐体２００Ａが配置される。第１筐体１００Ａおよび第２筐体２００Ａそれぞれは４つの側面を有し、水平方向の断面形状が同一である。第１筐体１００Ａの４つの側面と、第２筐体２００Ａの４つの側面とがそれぞれ対応する面が並行となるように第１筐体１００Ａと第２筐体２００Ａとが結合される。第１筐体１００Ａと第２筐体２００Ａとは、それらの間に空間が形成されるように結合されている。空間は、第１筐体１００Ａの底面と、第２筐体２００Ａの上面とで挟まれる。第２筐体２００Ａの上面に、照度センサー２０７が配置される。
【００４９】
ＭＦＰ１００は、自動原稿搬送装置１２０と、原稿読取部１３０と、画像形成部１４０と、給紙部１５０と、を含む。自動原稿搬送装置１２０は、原稿トレイ上にセットされた複数枚の原稿を１枚ずつ自動的に原稿読取部１３０の原稿読み取り位置まで搬送し、原稿読取部１３０により原稿に形成された画像が読み取られた原稿を原稿排紙トレイに排出する。
【００５０】
原稿読取部１３０は、その上面に原稿を読み取るための矩形状の読取面を有する。読取面は、例えばプラテンガラスにより形成される。自動原稿搬送装置１２０の下方に原稿読取部１３０が配置されており、自動原稿搬送装置１２０は、読取面の１つの辺に平行な軸を中心に回転可能に原稿読取部１３０に接続され、開閉可能である。自動原稿搬送装置１２０が回転して開いた状態で、原稿読取部１３０の読取面が露出する。このため、ユーザーは、原稿読取部１３０の読取面に原稿を載置可能である。
【００５１】
原稿読取部１３０は、光を照射する光源と、光を受光する光電変換素子とを含み、読取面に載置された原稿に形成されている画像を走査する。読取領域に原稿が載置されている場合、光源から照射された光は原稿で反射し、反射した光が光電変換素子で結像する。光電変換素子は、原稿で反射した光を受光すると、受光した光を電気信号に変換した画像データを生成する。
【００５２】
給紙部１５０は、用紙を収容するための２つの給紙トレイ１５１，１５３を含む。給紙部１５０は、給紙トレイ１５１，１５３いずれかに収容された用紙を画像形成部１４０に搬送する。画像形成部１４０は、周知の電子写真方式により画像を形成するものであって、画像データに基づいて、給紙部１５０により搬送される用紙に画像を形成し、画像を形成した用紙を排紙トレイ１５５に排出する。給紙トレイ１５１，１５３は、第１筐体１００Ａの前面にユーザーにより引き出されることにより、手前にスライドして開く。給紙トレイ１５１，１５３それぞれが開いた状態で、給紙トレイ１５１，１５３の内部が開放されるので、ユーザーが給紙トレイ１５１，１５３に用紙を供給可能となる。ユーザーが給紙トレイ１５１，１５３を引き出す操作を可能とするために、第１筐体１００Ａの右側面および左側面それぞれの給紙トレイ１５１，１５３に対応する部分に、ユーザーが給紙トレイ１５１，１５３に指を掛けやすくするための凹部１５６が形成されている。
【００５３】
第１筐体１００Ａの正面にカバー１９１が設けられる。カバー１９１は、開閉可能であり、図１においては閉状態を示している。カバー１９３が開状態において、画像形成部１４０の内部が第１筐体１００Ａの外部に露出する。例えば、ユーザーは、カバー１９１を開状態にすることにより、画像形成部１４０の内部が開放されるので、トナーを収容するトナー容器を新しいトナー容器に交換することができる。
【００５４】
第１筐体１００Ａの左側面にカバー１９３が設けられる。給紙部１５０から排紙トレイ１５５に用紙を搬送する搬送経路が設けられている。カバー１９３は、開閉可能であり、図１においては閉状態を示している。カバー１９３が開状態において、用紙の搬送経路が第１筐体１００Ａの外部に露出する。例えば、用紙が搬送経路で詰まった場合に、ユーザーは、カバー１９３を開状態にすることにより、搬送経路が開放されるので、搬送経路で詰まった用紙を取り除くことができる。
【００５５】
第２筐体２００Ａは、サーバー２００を収容し、その前面にサーバー２００の電源のＯＮおよびＯＦＦを切り換えるためのスイッチ２１０が配置される。
【００５６】
図２は、図１の点線で示す部分を拡大して示す正面図である。図２を参照して、第１筐体１００Ａと第２筐体２００Ａとの間の空間に、発光部３００が配置される。空間は、第１筐体１００Ａの底面３１１と、第２筐体２００Ａの上面３１３とで挟まれている。
【００５７】
発光部３００は、第１筐体１００Ａと第２筐体２００Ａとを結合する結合部材４００に取り付けられる。発光部３００は、水平方向に沿って配列され、第１筐体１００Ａと第２筐体２００Ａとの間の空間の外側に向かって光を照射するように配置された複数の光源３０１を含む。複数の光源３０１は、第１筐体１００Ａの４つの側面に沿って水平方向に並んで配置される。
【００５８】
複数の光源３０１は、ここでは、発光ダイオード（ＬＥＤ）を用いている。なお、光源３０１は、ＬＥＤに限らず、電球であってもよい。なお、複数の光源３０１は、操作パネル１６０の下方には配置されない。操作パネル１６０をユーザーが操作する場合に、他のユーザーの視線が操作パネル１６０を操作するユーザーにより遮られるからである。
【００５９】
複数の光源３０１それぞれは、第２筐体２００Ａの上面３１３に光を照射するように照射角度が調整されて配置される。複数の光源３０１が配置される位置の高さは、第１筐体１００Ａより低いので、ユーザーの目の高さよりも低くなる場合が多い。このため、複数の光源３０１から射出された光がユーザーの目に直接到達しないようにすることができる。
【００６０】
発光部３００は、複数の光源３０１それぞれの照射角度を、上下方向に変更可能である。発光部３００は、複数の光源３０１それぞれの照射角度を上下方向に変更することにより、複数の光源３０１それぞれが光を第２筐体２００Ａの上面３１３に照らす照射範囲を変更する。
【００６１】
図３は、第２筐体の平面図である。図３においては、発光部３００が第２筐体２００Ａに結合された状態を示している。図３を参照して、第２筐体２００Ａの上方に発光部３００が配置される。第２筐体２００Ａの上面３１３において、上面３１３の外縁からの距離が第１の距離Ｌだけ離れた照射領域（第１の領域）３１７と、照射領域３１７の外側の外周領域３１５とを含む。なお、図３において、照射領域３１７を、ハッチングを付して示している。
【００６２】
発光部３００の複数の光源３０１は、第１筐体１００Ａの正面に沿って配置される第１の組３０１Ａと、第１筐体１００Ａの右側面に沿って配置される第２の組２０１Ｂと、第１筐体１００Ａの左側面に沿って配置される第３の組３０１Ｃと、第１筐体１００Ａの背面に沿って配置される第４の組３０１Ｄと、に分類される。
【００６３】
図２に戻って、発光部３００は、サーバー２００およびＭＦＰ１００のいずれにおいてもエラーが発生していない通常状態で、複数の光源３０１それぞれの照射範囲が、照射領域３１７となるように照射角度を調整する。ユーザーの視線が矢印４０３で示される場合、そのユーザーの視界内に外周領域３１５および照射領域３１７が存在するので、ユーザーは外周領域３１５および照射領域３１７を視認できる。
【００６４】
視線が矢印４０３で示されるユーザーの目には、通常状態において、複数の光源３０１から射出された光が第２筐体２００Ａの上面３１３の照射領域３１７で反射した反射光が到達する。また、複数の光源３０１は水平方向に配列されるので、第１筐体１００Ａと第２筐体２００Ａとを区切るラインの形状の光としてユーザーに視認される。このため、発光部３００が照射するライン状の光によって、視線が矢印４０３で示されるユーザーに、第１筐体１００Ａと第２筐体２００Ａとの境界を知らせることができる。
【００６５】
さらに、ユーザーの目の位置と複合装置１との相対的な位置によって、ユーザーの視界に照射領域３１７が入らない場合ある。具体的には、ユーザーの視線が矢印４０１で示される場合、そのユーザーの視界内に外周領域３１５が存在するので、ユーザーは外周領域３１５を視認できるが、照射領域３１７は第１筐体１００Ａによりユーザーの視線が遮られるのでユーザーは照射領域３１７を視認できない。このため、視線が矢印４０３で示されるユーザーは、通常状態において、複数の光源３０１から射出された光は到達しない。例えば、ユーザーが操作パネル１６０を操作する位置にあるときに、ユーザーの視界に照射領域３１７が入らないように第１の距離Ｌ１を設定するのが好ましい。この場合、ユーザーが操作パネル１６０を操作している間は、ユーザーは発光部３００が照射する光を視認することがない。
【００６６】
視線４０１のユーザーは操作パネル１６０を操作している場合が多いため、ユーザーは、サーバー２００ではなくＭＦＰ１００に関する操作をしている可能性が高い。よって発光部３００が照射する光がサーバー２００のエラー状態を示す場合、操作パネル１６０を操作するユーザーが、発光部３００が照射する光を視認できるとすると、ＭＦＰ１００に関するエラーと誤解する可能性がある。このため、あえてパネル操作している視線４０１のユーザーには発光部３００が照射する光を見せないようにする。操作ユーザーに対しては発光部３００が照射する光のような簡素な情報ではなく、操作パネル１６０に、文章やアイコンなどの具体的で詳細な情報を表示することで、サーバー２００に関するエラーであることを明確に伝え、エラー情報の誤解をなくすことができる。
【００６７】
さらに、発光部３００が、通常状態と異なる状態で、複数の光源３０１それぞれの照射範囲が外周領域３１５を含むように照射角度を調整すると、視線が矢印４０１で示されるユーザーは、外周領域３１５を視認可能なので、視線が矢印４０１で示されるユーザーの目に、複数の光源３０１から射出された光が第２筐体２００Ａの上面３１３の外周領域３１５で反射した反射光が到達する。このため、発光部３００が照射するライン状の光によって、視線が矢印４０１で示されるユーザーに、第１筐体１００Ａと第２筐体２００Ａとの境界を知らせることができる。
【００６８】
また、発光部３００が、通常状態で、複数の光源３０１それぞれの照射角度を、第２筐体２００Ａの上面３１３の照射領域３１７とするのに加えて、または、これとは別に、第２筐体２００Ａの上面３１３の光の反射率を異ならせるようにしてもよい。具体的には、第２筐体２００Ａの上面３１３の外縁からの距離が第２の距離以下の非反射領域の光の反射率を、第２筐体２００Ａの上面３１３の外縁からの距離が第２の距離以上離れた領域の反射率より低く設定するようにしてもよい。なお、第１の距離と第２の距離とは、同じであってもよいし、異なってもよい。
【００６９】
図４は、複合装置のハードウェア構成の一例を示すブロック図である。図４を参照して、複合装置１は、ＭＦＰ１００と、サーバー２００と、操作パネル１６０と、発光部３００と、を含む。ＭＦＰ１００とサーバー２００とは、ローカルエリアネットワーク（ＬＡＮ）３で接続される。ＭＦＰ１００は、第１ＣＰＵ（中央演算処理装置）１１１と、通信インターフェース（Ｉ／Ｆ）部１１２と、ＲＯＭ（Ｒｅａｄ  Ｏｎｌｙ  Ｍｅｍｏｒｙ）１１３と、ＲＡＭ（Ｒａｎｄｏｍ  Ａｃｃｅｓｓ  Ｍｅｍｏｒｙ）１１４と、ファクシミリ部１１５と、自動原稿搬送装置１２０と、原稿読取部１３０と、画像形成部１４０と、給紙部１５０と、を含む。第１ＣＰＵ１１１は、通信Ｉ／Ｆ部１１２、ＲＯＭ１１３と、ＲＡＭ１１４と、ファクシミリ部１１５、自動原稿搬送装置１２０、原稿読取部１３０、画像形成部１４０および給紙部１５０と接続され、ＭＦＰ１００の全体を制御する。
【００７０】
ＲＯＭ１１３は、第１ＣＰＵ１１１が実行するプログラム、またはそのプログラムを実行するために必要なデータを記憶する。ＲＡＭ１１４は、第１ＣＰＵ１１１がプログラムを実行する際の作業領域として用いられる。また、ＲＡＭ１１４は、原稿読取部１３０から連続的に送られてくる画像データを一時的に記憶する。
【００７１】
ファクシミリ部１１５は、公衆交換電話網（ＰＳＴＮ）に接続され、ＰＳＴＮにファクシミリデータを送信する、またはＰＳＴＮからファクシミリデータを受信する。ファクシミリ部１１５は、受信したファクシミリデータを画像形成部１４０でプリント可能なプリントデータに変換して、画像形成部１４０に出力する。これにより、画像形成部１４０は、ファクシミリ部１１５により受信されたファクシミリデータの画像を用紙に形成する。また、ファクシミリ部１１５は、原稿読取部１３０が原稿を読み取って出力する画像データをファクシミリデータに変換して、ＰＳＴＮに接続されたファクシミリ装置に送信する。
【００７２】
通信Ｉ／Ｆ部１１２は、第１ＣＰＵをＬＡＮ３に接続するためのインターフェースである。通信Ｉ／Ｆ部１１２は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで、ＬＡＮ３に接続されたサーバー２００と通信する。なお、通信Ｉ／Ｆ部１１２が接続されるＬＡＮ３の接続形態は有線または無線を問わない。また、ＬＡＮ３は、ＭＦＰ１００とは別の他のコンピューターと接続されてもよい。この場合、通信Ｉ／Ｆ部１１２は、ＬＡＮ３に接続された他のコンピューターと通信可能となる。また、ＬＡＮ３がインターネットに接続される場合には、通信Ｉ／Ｆ部１１２は、インターネットに接続された他のコンピューターと通信可能となる。
【００７３】
サーバー２００は、サーバー２００の全体を制御するための第２ＣＰＵ２０１と、第２ＣＰＵ２０１が実行するためのプログラムを記憶するＲＯＭ２０２と、第２ＣＰＵ２０１の作業領域として使用されるＲＡＭ２０３と、データを不揮発的に記憶するハードディスクドライブ（ＨＤＤ）２０４と、第２ＣＰＵ２０１をＬＡＮ３に接続する通信部２０５と、外部記憶装置２０６と、照度センサー２０７と、を含む。第２ＣＰＵ２０１、ＲＯＭ２０２、ＲＡＭ２０３、ＨＤＤ２０４、通信部２０５、外部記憶装置２０６および照度センサー２０７はバス２０９に接続される。
【００７４】
照度センサー２０７は、環境光の照度を検出する。環境光は、複合装置１が配置される場所を照らす光である。照度センサー２０７は、第２筐体２００Ａの上面３１３に配置されるのが好ましい。照度センサー２０７は、計測した照度を示す値を第２ＣＰＵ２０１に出力する。
【００７５】
ＲＯＭ２０２は、第２ＣＰＵ２０１が実行するプログラム、またはそのプログラムを実行するために必要なデータを記憶する。ＲＡＭ２０３は、第２ＣＰＵ２０１がプログラムを実行する際の作業領域として用いられる。
【００７６】
通信部２０５は、第２ＣＰＵ２０１をＬＡＮ３に接続するためのインターフェースである。通信部２０５は、ＴＣＰまたはＦＴＰ等の通信プロトコルで、ＬＡＮ３に接続されたＭＦＰ１００と通信する。また、通信部２０５は、ＬＡＮ３がＭＦＰ１００とは別の他のコンピューターと接続される場合、ＬＡＮ３に接続された他のコンピューターと通信可能となる。また、ＬＡＮ３がインターネットに接続される場合には、通信部２０５は、インターネットに接続された他のコンピューターと通信可能となる。
【００７７】
ＨＤＤ２０４は、大容量記憶装置であり、第２ＣＰＵ２０１により制御される。第２ＣＰＵ２０１は、ＨＤＤ２０４に記憶されたデータを読出し可能であり、また、ＨＤＤ２０４にデータを書き込み可能である。
【００７８】
外部記憶装置２０６は、第２ＣＰＵ２０１により制御され、ＣＤ−ＲＯＭ（Ｃｏｍｐａｃｔ  Ｄｉｓｋ  Ｒｅａｄ  Ｏｎｌｙ  Ｍｅｍｏｒｙ）２０６Ａ、または半導体メモリが装着される。第２ＣＰＵ２０１は、外部記憶装置２０６を制御して、ＣＤ−ＲＯＭ２０６Ａまたは半導体メモリに記憶されたデータの読出し、または、ＣＤ−ＲＯＭ２０６Ａまたは半導体メモリにデータを書き込みが可能である。
【００７９】
ＨＤＤ２０４および外部記憶装置２０６は、第２ＣＰＵ２０１により共有設定されており、ＭＦＰ１００からアクセス可能に設定される。このため、第１ＣＰＵ１１１は、ＨＤＤ２０４または外部記憶装置２０６に装着されたＣＤ−ＲＯＭ２０６Ａに記憶されたデータを読出し可能であり、また、それらにデータを書き込み可能である。
【００８０】
本実施の形態においては、第２ＣＰＵ２０１はＲＯＭ２０２に記憶されたプログラムを実行する例を説明するが、第２ＣＰＵ２０１はＨＤＤ２０４または外部記憶装置２０６に装着されたＣＤ−ＲＯＭ２０６Ａ等から第２ＣＰＵ２０１が実行するためのプログラムを読出し、読み出したプログラムをＲＡＭ２０３にロードして実行するようにしてもよい。同様に、第１ＣＰＵ１１１はＨＤＤ２０４または外部記憶装置２０６に装着されたＣＤ−ＲＯＭ２０６Ａ等から第１ＣＰＵ１１１が実行するためのプログラムを読出し、読み出したプログラムをＲＡＭ１１４にロードして実行するようにしてもよい。
【００８１】
なお、第１ＣＰＵ１１１または第２ＣＰＵ２０１それぞれが実行するためのプログラムを記憶する記録媒体としては、ＣＤ−ＲＯＭ２０６Ａに限られず、フレキシブルディスク、カセットテープ、光ディスク（ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）などの半導体メモリ等の媒体でもよい。
【００８２】
さらに、第１ＣＰＵ１１１または第２ＣＰＵ２０１がＬＡＮ３またはインターネットに接続されたコンピューターからプログラムをダウンロードしてＨＤＤ２０４に記憶する、または、ＬＡＮ３またはインターネットに接続されたコンピューターがプログラムをＨＤＤ２０４に書込みするようにしてもよい。この場合、第１ＣＰＵ１１１は、ＨＤＤ２０４に記憶されたプログラムをＲＡＭ１１４にロードして実行し、第２ＣＰＵ２０１は、ＨＤＤ２０４に記憶されたプログラムをＲＡＭ２０３にロードして実行する。ここでいうプログラムは、第１ＣＰＵ１１１または第２ＣＰＵ２０１により直接実行可能なプログラムだけでなく、ソースプログラム、圧縮処理されたプログラム、暗号化されたプログラム等を含む。
【００８３】
操作パネル１６０は、表示部１６１と、操作部１６３と、を含む。表示部１６１および操作部１６３は、バス２０９に接続され、第２ＣＰＵ２０１により制御される。表示部１６１は、例えば、液晶表示装置（ＬＣＤ）であり、ユーザーに対する指示メニューや取得した画像データに関する情報等を表示する。なお、ＬＣＤに代えて、画像を表示する装置であれば、例えば、有機ＥＬ（ｅｌｅｃｔｒｏｌｕｍｉｎｅｓｃｅｎｃｅ）ディスプレイを用いることができる。
【００８４】
操作部１６３は、タッチパネル１６５と、ハードキー部１６７とを含む。タッチパネル１６５は、静電容量方式である。なお、タッチパネル１６５は、静電容量方式に限らず、例えば、抵抗膜方式、表面弾性波方式、赤外線方式、電磁誘導方式等の他の方式を用いることができる。タッチパネル１６５は、その検出面が表示部１６１の上面または下面に表示部１６１に重畳して設けられる。ここでは、タッチパネル１６５の検出面のサイズと、表示部１６１の表示面のサイズとを同じにしている。このため、表示面の座標系と検出面の座標系は同じである。タッチパネル１６５は、ユーザーが、表示部１６１の表示面を指示する位置を検出面で検出し、検出した位置の座標を示す位置情報を第２ＣＰＵ２０１に出力する。表示面の座標系と検出面の座標系は同じなので、タッチパネル１６５が出力する位置情報で特定される座標を、表示部１６１の表示面の座標に置き換えることができる。ハードキー部１６７は、複数のハードキーを含む。ハードキーは、例えば接点スイッチである。
【００８５】
発光部３００は、バス２０９に接続され、第２ＣＰＵ２０１により制御され、複数の光源３０１を点灯させる。
【００８６】
図５は、サーバーが備える第２ＣＰＵが有する機能の一例を示す図である。図５に示す機能は、サーバー２００が備える第２ＣＰＵ２０１が、ＲＯＭ２０２、ＨＤＤ２０４またはＣＤ−ＲＯＭ２０６Ａに記憶された状態通知プログラムを実行することにより、第２ＣＰＵ２０１に形成される機能である。図５を参照して、第２ＣＰＵ２０１は、サーバー２００の状態を検出するサーバー状態検出部５１と、ＭＦＰ１００の状態を検出するＭＦＰ状態検出部５３と、照度取得部５７と、発光部３００を制御する発光制御部５５と、を含む。
【００８７】
サーバー状態検出部５１は、サーバー２００の状態を検出し、検出した状態を示す第１状態情報を発光制御部５５に出力するとともに、検出された状態をユーザーに通知するための画面を表示部１６０に表示する。例えば、サーバー状態検出部５１は、ＨＤＤ２０４から正常にデータを読み出しできない異常、ＨＤＤ２０４の容量が不足する異常、通信部２０５による通信ができなくなる異常を検出する。サーバー状態検出部５１は、異常が発生すると、その異常を識別するための第１エラー識別情報を含む第１状態情報を発光制御部５５に出力するとともに、第１エラー識別情報に対して予め定められた通知画面を表示部１６０に表示する。
【００８８】
ＭＦＰ状態検出部５３は、通信部２０５を制御して、ＭＦＰ１００と通信し、ＭＦＰ１００の状態を検出し、検出した状態を示す第２状態情報を発光制御部５５に出力するとともに、検出された状態をユーザーに通知するための画面を表示部１６０に表示する。例えば、ＭＦＰ状態検出部５３は、ＭＦＰ１００でエラーが発生する場合、ＭＦＰ１００で発生したエラーを識別するための第２エラー識別情報をＭＦＰ１００から取得し、取得された第２エラー識別情報を含む第２状態情報を、発光制御部５５に出力するとともに、第２エラー識別情報に対して予め定められた通知画面を表示部１６０に表示する。
【００８９】
照度取得部５７は、照度センサー２０７を制御して、照度センサー２０７の出力値を取得し、取得された出力値を発光制御部５５に出力する。
【００９０】
発光制御部５５は、サーバー状態検出部５１からサーバー２００の状態を示す第１状態情報が入力され、ＭＦＰ状態検出部５３からＭＦＰ１００の状態を示す第２状態情報が入力され、照度取得部５７から照度センサー２０７の出力値が入力される。発光制御部５５は、発光部３００を制御し、発光部３００が備える複数の光源３０１を制御する。発光制御部５５は、サーバー状態検出部５１から第１エラー識別情報を含む第１状態情報が入力されておらず、かつ、ＭＦＰ状態検出部５３から第２エラー情報を含む第２状態情報が入力されていない場合、通常状態と判断する。
【００９１】
発光制御部５５は、光源決定部６１と、誘導制御部６３と、駆動部６５と、を含む。駆動部６５は、通常状態で、複数の光源３０１の全てを点灯させる。駆動部６５は、照度取得部５７から入力される照度センサー２０７の出力に基づいて、光量を決定し、複数の光源３０１に、決定された光量で光を出力させる。例えば、ＰＷＭ制御によってデューティ比を変化させることにより、複数の光源３０１が照射する光の光量を調整する。これにより、環境光の変化に対応することができる。環境光の光量が大きい場合には、複数の光源３０１が照射する光の光量を大きくし、環境光の光量が小さい場合には、複数の光源３０１が照射する光の光量を小さくする。複数の光源３０１が照射する光は、第２筐体２００Ａの上面３１３で反射して複合装置１の周辺に位置するユーザーの目に到達するが、環境光の光量に応じて複数の光源３０１が照射する光の光量を調整するので、ユーザーが、複数の光源３０１が照射する光を、環境光と区別できるようにすることができる。また、複数の光源３０１は、第１筐体１００Ａと第２筐体２００Ａとの間の空間に配置され、第２筐体２００Ａの上面３１３を照射するので、複数の光源３０１は、第１筐体１００Ａと第２筐体２００Ａとの間で帯状の光を照射することができる。このため、ユーザーに、第１筐体１００Ａと第２筐体２００Ａとの境界を示すことができる。
【００９２】
光源決定部６１は、ＭＦＰ１００の状態に基づいて、複数の光源３０１のうちから照射態様を変更する変更対象となる１以上の光源を決定する。具体的には、光源決定部６１は、ＭＦＰ１００の状態に基づいて、第１組〜第４組のうちいずれかの組に属する１以上の光源３０１を変更対象に決定する。まず、光源決定部６１は、ＭＦＰ状態検出部５３から第２エラー識別情報を含む第２状態情報が入力される場合、第１筐体１００Ａの４つの側面のいずれか１つを対象側面に決定し、第１組〜第４組のうち対象側面に対応する組に属する１以上の光源３０１を変更対象に決定する。
【００９３】
例えば、光源決定部６１は、第１エラー識別情報で特定されるエラーに対してユーザーによる回復操作により開放されるカバーを有する側面を対象側面に決定し、対象側面に決定された側面に沿って配列された１以上の光源３０１を変更対象に決定する。光源決定部６１は、変更対象に決定された１以上の光源３０１が属する組の組識別情報を、駆動部６５および誘導制御部６３に出力する。
【００９４】
例えば、ＭＦＰ１００において、用紙が搬送途中で詰まるエラーに対して、カバー１９３が予め定められる。ＭＦＰ１００において、用紙が搬送途中で詰まるエラーが発生する場合、搬送経路に詰まった用紙を搬送経路から取り除く作業が必要だからである。このため、光源決定部６１は、ＭＦＰ状態検出部５３から用紙が搬送途中で詰まるエラーの第２エラー識別情報を含む第２状態情報が入力される場合、カバー１９３を有する左側面に沿って配置された第３の組に属する１以上の光源３０１を決定する。
【００９５】
また、ＭＦＰ１００において、トナー残量が下限値より少なくなるエラーに対して、カバー１９１が予め定められている。ＭＦＰ１００において、トナー残量が下限値より少なくなるエラーが発生する場合、トナーを収容するトナー容器を新しいトナー容器に交換する作業が必要だからである。このため、光源決定部６１は、ＭＦＰ状態検出部５３からトナー残量が下限値より少なくなるエラーの第２エラー識別情報を含む第２状態情報が入力される場合、カバー１９１を有する正面に沿って配置された第１の組に属する１以上の光源３０１を決定する。
【００９６】
また、給紙トレイ１５１は第１筐体１００Ａの正面に引き出し可能に設けられている。ＭＦＰ１００において、給紙部１５０が備える給紙トレイ１５１に収容される用紙が存在しないエラーが発生する場合、給紙トレイ１５１を開放して用紙を補充する作業が必要である。このため、光源決定部６１は、ＭＦＰ状態検出部５３から給紙部１５０が備える給紙トレイ１５１に収容される用紙が存在しないエラーの第２エラー識別情報を含む第２状態情報が入力される場合、給紙トレイ１５１が引き出される正面に沿って配置された第１の組に属する１以上の光源３０１を決定する。
【００９７】
また、ＭＦＰ１００において、第１筐体１００Ａの背面に対してユーザーが操作する場合に、その操作をエラーとして検出する。第１筐体１００Ａの背面に対してユーザーが操作は、例えば、主電源スイッチ等のスイッチを切り換える操作、外部の機器と接続されるケーブルを抜き差しする操作、ＭＦＰ１００が備える制御基板を抜き差しする操作を含む。このため、光源決定部６１は、ＭＦＰ状態検出部５３から第１筐体１００Ａの背面に対するユーザーによる操作により発生したエラーの第２エラー識別情報を含む第２状態情報が入力される場合、第１筐体１００Ａの４つの側面のうち背面を対象側面に決定する。光源決定部６１は、複数の光源３０１のうち、対象側面に決定された背面に沿って配置された第４の組に属する１以上の光源３０１を決定する。
【００９８】
駆動部６５は、光源決定部６１から組識別情報が入力されることに応じて、複数の光源３０１のうち組識別情報で特定される組に属する１以上の光源３０１の光量を大きくするとともに、照射角度を水平方向に変更する。照射角度を水平方向に変更すると、第２筐体２００Ａの上面３１３の照射領域３１７の外側の領域にも光が照らされる。このため、駆動部６５が光源３０１の照射角度を変更する前は、照射領域３１７に光が照らされるので、第２筐体２００Ａの上面３１３の照射領域３１７を視認できない位置に存在するユーザーが、駆動部６５が光源３０１の照射角度を水平方向に変更した後に、照射領域３１７の外側の領域を視認できる場合があり、そのユーザーには第２筐体２００Ａの上面３１３が光って見えるようになる。例えば、ＭＦＰ１００において用紙が搬送途中で詰まるエラーが発生する場合、カバー１９３を有する左側面に沿って配置された第３の組に属する１以上の光源３０１が、他の組に属する１以上の光源３０１と異なる照射態様で光を照射する。具体的には、第２筐体２００Ａの上面の照射領域３１７の外側が、他の側面よりも高い光量で照らされる。このため、ユーザーは、４つの側面のうち左側面を特定することができ、カバー１９３を開ければよいことを知ることができる。
【００９９】
また、ＭＦＰ１００においてトナー残量が下限値より少なくなるエラーが発生する場合、カバー１９１を有する正面に沿って配置された第１の組に属する１以上の光源３０１が、他の組に属する１以上の光源３０１と異なる照射態様で光を照射する。具体的には、第２筐体２００Ａの上面の照射領域３１７の外側が、他の側面よりも高い光量で照らされる。このため、ユーザーは、４つの側面のうち正面を特定することができ、カバー１９１を開ければよいことを知ることができる。
【０１００】
また、駆動部６５は、光量および照射角度に加えて、または、これらとは別に、光源３０１が照射する光の色および点灯時間の１以上を変更するようにしてもよい。
【０１０１】
誘導制御部６３は、光源決定部６１から組識別情報が入力されることに応じて、組識別情報で特定される組に属する１以上の光源３０１に対応する側面を対象側面とし、対象側面と隣り合う２つの側面それぞれに沿って配置された２以上の光源を誘導対象に決定する。例えば、第１組に属する１以上の光源３０１は正面に対応するので正面が対象側面となり、正面と隣り合う側面は右側面と左側面なので、右側面に沿って配置される第２組に属する１以上の光源３０１と、左側面に沿って配置される第３組に属する１以上の光源３０１と、をそれぞれ誘導対象に決定する。誘導制御部６３は、右側面が対象側面の場合、右側面と隣り合う側面は正面と背面なので、正面に沿って配置される第１組に属する１以上の光源３０１と、背面に沿って配置される第４組に属する１以上の光源３０１と、をそれぞれ誘導対象に決定する。誘導制御部６３は、左側面が対象側面の場合、左側面と隣り合う側面は正面と背面なので、正面に沿って配置される第１組に属する１以上の光源３０１と、背面に沿って配置される第４組に属する１以上の光源３０１と、をそれぞれ誘導対象に決定する。誘導制御部６３は、背面が対象側面の場合、背面と隣り合う側面は右側面と左側面なので、右側面に沿って配置される第２組に属する１以上の光源３０１と、左側面に沿って配置される第３組に属する１以上の光源３０１と、をそれぞれ誘導対象に決定する。
【０１０２】
誘導制御部６３は、２つの側面それぞれにおいて、誘導対象に決定された１以上の光源の照射態様を変更する。例えば、１つの側面に誘導対象に決定された光源３０１が２以上の場合、２以上の光源３０１を連鎖点灯させる。連鎖点灯は、一列に配列された複数の光源３０１を、連鎖方向で定まる順に点灯させる照射態様である。例えば、第１光源、第２光源、および第３光源が、左から順に右に向かって一列に配列されている場合、連鎖方向を左から右に向かう方向とする場合に、最初の第１の期間に第１光源を点灯し、第２光源および第３光源を消灯し、第１の期間に連続する第２の期間に第２光源を点灯し、第１光源および第３光源を消灯し、第２の期間に連続する第３の期間に第３光源を点灯し、第１光源および第２光源を消灯し、第１の期間から第３の期間の点灯パターンを繰り返す照射態様である。
【０１０３】
例えば、対象側面が、正面の場合、誘導対象に決定される光源３０１は、右側面に沿って配置される第２組に属する２以上の光源３０１と左側面に沿って配置される第３組に属する２以上の光源３０１である。誘導制御部６３は、第２組に属する２以上の光源３０１を、連鎖方向を背面から対象側面である正面に向かう方向として、連続点滅させる。同様に、誘導制御部６３は、第３組に属する２以上の光源３０１を、連鎖方向を背面から対象側面である正面に向かう方向として、連続点滅させる。これにより、右側面および左側面それぞれにおいて、第１筐体１００Ａと第２筐体２００Ａとの間の空間が、背面から正面に向かって光る部分が移動するように見える。このため、右側面または左側面を見るユーザーに、対象側面が正面であることを通知することができる。
【０１０４】
また、誘導制御部６３は、ＭＦＰ状態検出部５３から給紙部１５０が備える給紙トレイ１５１に収容される用紙が存在しないエラーの第２エラー識別情報を含む第２状態情報が入力される場合、光源決定部６１によって給紙トレイ１５１が引き出される正面に沿って配置された第１の組に属する１以上の光源３０１が変更対象に決定される。このため、誘導制御部６３は、右側面に沿って配置される第２組に属する２以上の光源３０１と左側面に沿って配置される第３組に属する２以上の光源３０１とを誘導対象に決定する。誘導制御部６３は、第２組に属する２以上の光源３０１のうち正面に最も近い光源３０１を点灯し、他の光源３０１を消灯する。同様に、誘導制御部６３は、第３組に属する２以上の光源３０１のうち正面に最も近い光源３０１を点灯し、他の光源３０１を消灯する。これにより、右側面および左側面それぞれにおいて、第１筐体１００Ａと第２筐体２００Ａとの間の空間が、正面に最も近い部分が照らされるので、給紙トレイ１５１，１５３を引き出すための操作として、給紙トレイ１５１，１５３を両端から手を添えるようにして引き出す操作であることをユーザーに通知することができる。
【０１０５】
駆動部６５は、サーバー状態検出部５１から第１エラー識別情報を含む第１状態情報が入力される場合、複数の光源３０１の照射態様を変更するとともに、表示部１６１に。第１エラー情報で特定されるエラーを通知するための画面を表示する。駆動部６５は、サーバー状態検出部５１から第１エラー識別情報を含む第１状態情報が入力されることに応じて、複数の光源３０１の色を変更する。また、駆動部６５は、色に加えて、または、これらとは別に、光源３０１が照射する光の光量および点灯時間の１以上を変更するようにしてもよい。駆動部６５は、サーバー状態検出部５１から第１エラー識別情報を含む第１状態情報が入力される場合、複数の光源３０１の照射角度を水平方向に変更しないので、操作パネル１６０を操作するユーザーに、複数の光源３０１から照射された光が届かないようにする。これにより、操作パネル１６０を操作するユーザーに、サーバー２００に発生したエラーを複数の光源３０１の発光によっては通知しないようにすることができる。操作パネル１６０を操作するユーザーは、サーバー２００に発生したエラーを光源３０１の発光によって知ることができないので、サーバー２００に発生したエラーを、ＭＦＰ１００に発生したエラーと誤って認識しないようにすることができる。なお、サーバー２００に発生したエラーの詳細な情報は、表示部１６０に表示されるので、操作パネル１６０を操作するユーザーは、サーバー２００に発生したエラーを表示部１６０に表示された情報に基づいて認識することができる。一方、複合装置１から離れた位置のユーザーは、複数の光源３０１から照射された光が届くので、サーバー２００にエラーが発生していることを光源３０１の発光によって認識することができる。
【０１０６】
図６は、状態通知処理の流れの一例を示すフローチャートである。状態通知処理は、サーバー２００が備える第２ＣＰＵ２０１が、ＲＯＭ２０２、ＨＤＤ２０４またはＣＤ−ＲＯＭ２０６Ａに記憶された状態通知プログラムを実行することにより、第２ＣＰＵ２０１により実行される処理である。図６を参照して、第２ＣＰＵ２０１は、発光部３００を通常状態で発行させ（ステップＳ０１）、処理をステップＳ０２に進める。発光部３００が備える複数の光源のすべてを、予め定められた青色、光量および照射角度で発光させる。これにより、第２筐体２００Ａの上面３１３の照射領域３１７に、複数の光源３０１から青色の光が照射されるので、複合装置１から所定の距離以上離れた位置に居るユーザーは、第２筐体２００Ａの４つの側面のいずれからも第１筐体１００Ａと第２筐体２００Ａとの境界を認識可能になる。ただし、複合装置１の操作パネル１６０を操作しているユーザーの視界が、第２筐体２００Ａの上面３１３の照射領域３１７が第１筐体１００Ａに遮られるので、複合装置１の操作パネル１６０を操作しているユーザーからは、複数の光源３０１から照射される青色の光は見えない。
【０１０７】
ステップＳ０２においては、サーバー２００の状態を検出し、処理をステップＳ０３に進める。ステップＳ０３においては、サーバー２００の状態がエラーが発生していることを示すか否かを判断する。サーバー２００でエラーが発生しているならば処理をステップＳ０４に進めるが、そうでなければ処理をステップＳ０６に進める。ステップＳ０４においては、第１照射態様変更処理を実行し、処理をステップＳ０５に進める。第１照射態様変更処理の詳細は後述するが、発光部３００が備える複数の光源３０１の照射態様を変更する処理である。ステップＳ０５において、サーバー２００においてエラーが回復したか否かを判断する。サーバー２００において発生していたエラーが回復するまで待機状態となり（ステップＳ０５でＮＯ）、サーバー２００において発生していたエラーが回復したならば（ステップＳ０５でＹＥＳ）、処理をステップＳ０１に戻す。
【０１０８】
ステップＳ０６においては、ＭＦＰ１００の状態を検出し、処理をステップＳ０７に進める。通信部２０５を制御して、ＭＦＰ１００と通信し、ＭＦＰ１００からＭＦＰ１００の状態を取得する。次のステップＳ０７においては、ＭＦＰ１００の状態がエラーが発生していることを示すか否かを判断する。ＭＦＰ１００でエラーが発生しているならば処理をステップＳ０８に進めるが、そうでなければ処理をステップＳ０２に戻す。ステップＳ０８においては、第２照射態様変更処理を実行し、処理をステップＳ０９に進める。第２照射態様変更処理の詳細は後述するが、発光部３００が備える複数の光源３０１の照射態様を変更する処理である。ステップＳ０９において、ＭＦＰ１００においてエラーが回復したか否かを判断する。ＭＦＰ１００において発生していたエラーが回復するまで待機状態となり（ステップＳ０９でＮＯ）、ＭＦＰ１００において発生していたエラーが回復したならば（ステップＳ０９でＹＥＳ）、処理をステップＳ０１に戻す。
【０１０９】
図７は、第１照射態様変更処理の流れの一例を示すフローチャートである。第１照射態様変更処理は、図６のステップＳ０４において実行される処理である。図７を参照して、第２ＣＰＵ２０１は、サーバー２００に発生したエラーの種類によって処理を分岐させる（ステップＳ１１）。エラーがＨＤＤ２０４の読出しエラーの場合は処理をステップＳ１２に進め、通信エラーの場合は処理をステップＳ１３に進め、ＨＤＤ２０４の容量不足のエラーの場合は処理をステップＳ１４に進め、その他のエラーの場合は処理をステップＳ１５に進める。
【０１１０】
ステップＳ１２においては、発光色を青色から赤色に変更し、処理をステップＳ１５に進める。第１筐体１００Ａと第２筐体２００Ａとの間の光が青色から赤色に変化するので、サーバー２００にＨＤＤ２０４の読出しエラーが発生したことをユーザーに通知することができる。ステップＳ１３においては、点灯を点滅に変更し、処理をステップＳ１５に進める。第１筐体１００Ａと第２筐体２００Ａとの間で点灯していた光が点滅するので、サーバー２００に通信エラーが発生したことをユーザーに通知することができる。ステップＳ１４においては、発光色を青色から黄色に変更し、処理をステップＳ１６に進める。第１筐体１００Ａと第２筐体２００Ａとの間の光が青色から黄色に変化するので、サーバー２００にＨＤＤ２０４の容量が不足していることをユーザーに通知することができる。ステップＳ１５においては、発光色を青色からオレンジ色に変更し、処理をステップＳ１６に進める。第１筐体１００Ａと第２筐体２００Ａとの間の光が青色からオレンジ色に変化するので、サーバー２００にＨＤＤ２０４のエラーおよび通信のエラー以外のエラーが発生していることをユーザーに通知することができる。
【０１１１】
ステップＳ１５においては、表示部１６１にエラー通知画面を表示し、処理を状態通知処理に戻す。これにより、ユーザーは、エラー通知画面を見て、エラーの詳細を知ることができる。
【０１１２】
図８は、第２照射態様変更処理の流れの一例を示すフローチャートである。第２照射態様変更処理は、図６のステップＳ０８において実行される処理である。図８を参照して、第２ＣＰＵ２０１は、ＭＦＰ１００に発生したエラーの種類によって処理を分岐させる（ステップＳ２１）。エラーが搬送経路に用紙が詰まる用紙つまりエラーの場合は処理をステップＳ２２に進め、トナー容器のトナー残量が下限値を下回るトナー減少エラーの場合は処理をステップＳ２８に進め、給紙トレイ１５１に収容される用紙が存在しなくなる用紙切れエラーの場合は処理をステップＳ３４に進め、第１筐体１００Ａの背面に対する操作により発生する背面操作エラーの場合は処理をステップＳ４０に進める。
【０１１３】
ステップＳ２２においては、右側面を対象側面に設定し、処理をステップＳ２３に進める。ステップＳ２３においては、第２組に属する１以上の光源３０１を変更対象に設定し、処理をステップＳ２４に進める。ステップＳ２５においては、第１組に属する１以上の光源３０１と、第４組に属する１以上の光源３０１とを誘導対象に設定し、処理をステップＳ２５に進める。
【０１１４】
ステップＳ２５においては、変更対象の第２組に属する１以上の光源を点灯から点滅に変更し、処理をステップＳ２６に進める。変更対象の第２組に属する１以上の光源３０１が点滅するので、ＭＦＰ１００の第１筐体１００Ａの対象側面である右側面側のカバー１９３が操作対象であることをユーザーに通知することができる。
【０１１５】
ステップＳ２６においては、連鎖方向を左側面から右側面に向かう方向に設定し、処理をステップＳ２７に進める。ステップＳ２７においては、誘導対象を連鎖点灯し、処理をステップＳ４６に進める。具体的には、誘導対象に設定された１以上の光源３０１が、ステップＳ２６に設定された連鎖方向で連鎖点灯する。これにより、第１組に属する１以上の光源３０１が左側面から右側面に向かって連鎖点灯し、第４組に属する１以上の光源３０１が左側面から右側面に向かって連鎖点灯するので、対象側面が右側面であることをユーザーに通知することができる。
【０１１６】
次のステップＳ４６においては、変更対象と誘導対象の光源３０１の光量を増加し、処理をステップＳ４７に進める。具体的には、変更対象の第２組に属する１以上の光源３０１と、誘導対象の第１組に属する１以上の光源３０１と、誘導対象の第４組に属する１以上の光源３０１との光量を増加する。次のステップＳ４７においては、変更対象と誘導対象の光源３０１の照射角度を変更し、処理を状態通知処理に戻す。具体的には、変更対象の第２組に属する１以上の光源３０１、誘導対象の第１組に属する１以上の光源３０１、および誘導対象の第４組に属する１以上の光源３０１それぞれの照射角度を水平方向に変更する。これにより、第２筐体２００Ａの右側面、正面および背面それぞれにおいて、第２筐体２００Ａの上面３１３の照射領域３１７の外側の領域にも光が照らされる。このため、光源３０１の照射角度を変更する前は、第２筐体２００Ａの上面３１３の照射領域３１７を視認できない位置に存在するユーザーが、光源３０１の照射角度を水平方向に変更した後に、照射領域３１７の外側の領域を視認できるようになる。
【０１１７】
ステップＳ２８においては、正面を対象側面に設定し、処理をステップＳ２９に進める。ステップＳ２９においては、第１組に属する１以上の光源３０１を変更対象に設定し、処理をステップＳ３０に進める。ステップＳ３０においては、第２組に属する１以上の光源３０１と、第３組に属する１以上の光源３０１とを誘導対象に設定し、処理をステップＳ３１に進める。
【０１１８】
ステップＳ３１においては、変更対象の第１組に属する１以上の光源の発光色を黄色に変更し、処理をステップＳ３２に進める。これにより、ＭＦＰ１００の第１筐体１００Ａの対象側面である正面のカバー１９１が操作対象であることをユーザーに通知することができる。
【０１１９】
ステップＳ３２においては、連鎖方向を背面から正面に向かう方向に設定し、処理をステップＳ３３に進める。ステップＳ３３においては、誘導対象を連鎖点灯し、処理をステップＳ４６に進める。これにより、誘導対象に設定された第２組に属する１以上の光源３０１が背面から正面に向かって連鎖点灯し、第３組に属する１以上の光源３０１が背面から正面に向かって連鎖点灯するので、対象側面が正面であることをユーザーに通知することができる。
【０１２０】
次のステップＳ４６においては、変更対象と誘導対象の光源３０１の光量を増加し、処理をステップＳ４７に進める。具体的には、変更対象の第１組に属する１以上の光源３０１と、誘導対象の第２組に属する１以上の光源３０１と、誘導対象の第３組に属する１以上の光源３０１との光量を増加する。これにより、第１筐体１００Ａの正面、右側面および左側面それぞれの下方の光量が増加する。次のステップＳ４７においては、変更対象と誘導対象の光源３０１の照射角度を変更し、処理を状態通知処理に戻す。具体的には、変更対象の第１組に属する１以上の光源３０１、誘導対象の第２組に属する１以上の光源３０１、および誘導対象の第３組に属する１以上の光源３０１それぞれの照射角度を水平方向に変更する。これにより、第２筐体２００Ａの正面、右側面および左側面それぞれにおいて、第２筐体２００Ａの上面３１３の照射領域３１７の外側の領域にも光が照らされる。このため、光源３０１の照射角度を変更する前は、第２筐体２００Ａの上面３１３の照射領域３１７を視認できない位置に存在するユーザーが、光源３０１の照射角度を水平方向に変更した後に、照射領域３１７の外側の領域を視認できるようになる。
【０１２１】
ステップＳ３４においては、正面を対象側面に設定し、処理をステップＳ３５に進める。ステップＳ３５においては、第１組に属する１以上の光源３０１を変更対象に設定し、処理をステップＳ３６に進める。ステップＳ３６においては、第２組に属する１以上の光源３０１と、第３組に属する１以上の光源３０１とを誘導対象に設定し、処理をステップＳ３７に進める。
【０１２２】
ステップＳ３７においては、変更対象の第１組に属する１以上の光源の発光色を赤色に変更し、処理をステップＳ３８に進める。変更対象の第１組に属する１以上の光源３０１が赤色で点灯するので、ＭＦＰ１００の第１筐体１００Ａの対象側面である正面側の給紙トレイ１５１，１５３が操作対象であることをユーザーに通知することができる。
【０１２３】
ステップＳ３８においては、第２組に属する１以上の光源３０１のうち最も正面に近い１つを点灯し、他の光源３０１を消灯させ、処理をステップＳ３９に進める。ステップＳ３９においては、第３組に属する１以上の光源３０１のうち最も正面に近い１つを点灯し、他の光源３０１を消灯させ、処理をステップＳ４６に進める。これにより、給紙トレイ１５１，１５３を開放するための操作位置が、右側面および左側面の凹部１５６であることをユーザーに通知することができる。
【０１２４】
次のステップＳ４６においては、変更対象と誘導対象の光源３０１の光量を増加し、処理をステップＳ４７に進める。具体的には、変更対象の第１組に属する１以上の光源３０１と、誘導対象の第２組に属する１以上の光源３０１と、誘導対象の第３組に属する１以上の光源３０１との光量を増加する。これにより、第１筐体１００Ａの正面、右側面および左側面それぞれの下方の光量が増加する。次のステップＳ４７においては、変更対象と誘導対象の光源３０１の照射角度を変更し、処理を状態通知処理に戻す。具体的には、変更対象の第１組に属する１以上の光源３０１、誘導対象の第２組に属する１以上の光源３０１、および誘導対象の第３組に属する１以上の光源３０１それぞれの照射角度を水平方向に変更する。これにより、第２筐体２００Ａの正面、右側面および左側面それぞれにおいて、第２筐体２００Ａの上面３１３の照射領域３１７の外側の領域にも光が照らされる。このため、光源３０１の照射角度を変更する前は、第２筐体２００Ａの上面３１３の照射領域３１７を視認できない位置に存在するユーザーが、光源３０１の照射角度を水平方向に変更した後に、照射領域３１７の外側の領域を視認できるようになる。
【０１２５】
ステップＳ４０においては、背面を対象側面に設定し、処理をステップＳ４１に進める。ステップＳ４１においては、第４組に属する１以上の光源３０１を変更対象に設定し、処理をステップＳ４２に進める。ステップＳ４２においては、第２組に属する１以上の光源３０１と、第３組に属する１以上の光源３０１とを誘導対象に設定し、処理をステップＳ４３に進める。
【０１２６】
ステップＳ４３においては、変更対象の第４組に属する１以上の光源の発光色を赤色に変更し、処理をステップＳ４４に進める。これにより、ＭＦＰ１００の第１筐体１００Ａの対象側面である背面が操作対象であることをユーザーに通知することができる。
【０１２７】
ステップＳ４４においては、連鎖方向を正面から背面に向かう方向に設定し、処理をステップＳ４５に進める。ステップＳ４５においては、誘導対象を連鎖点灯し、処理をステップＳ４６に進める。これにより、誘導対象に設定された第２組に属する１以上の光源３０１が正面から背面に向かって連鎖点灯し、第３組に属する１以上の光源３０１が正面から背面に向かって連鎖点灯するので、対象側面が背面であることをユーザーに通知することができる。
【０１２８】
次のステップＳ４６においては、変更対象と誘導対象の光源３０１の光量を増加し、処理をステップＳ４７に進める。具体的には、変更対象の第４組に属する１以上の光源３０１と、誘導対象の第２組に属する１以上の光源３０１と、誘導対象の第３組に属する１以上の光源３０１との光量を増加する。これにより、第１筐体１００Ａの背面面、右側面および左側面それぞれの下方の光量が増加する。次のステップＳ４７においては、変更対象と誘導対象の光源３０１の照射角度を変更し、処理を状態通知処理に戻す。具体的には、変更対象の第４組に属する１以上の光源３０１、誘導対象の第２組に属する１以上の光源３０１、および誘導対象の第３組に属する１以上の光源３０１それぞれの照射角度を水平方向に変更する。これにより、第２筐体２００Ａの背面、右側面および左側面それぞれにおいて、第２筐体２００Ａの上面３１３の照射領域３１７の外側の領域にも光が照らされる。このため、光源３０１の照射角度を変更する前は、第２筐体２００Ａの上面３１３の照射領域３１７を視認できない位置に存在するユーザーが、光源３０１の照射角度を水平方向に変更した後に、照射領域３１７の外側の領域を視認できるようになる。このため、第１筐体１００Ａの背面において、赤色の光で、第１筐体１００Ａと第２筐体２００Ａとの境界が示されるので、ユーザーは、第１筐体１００Ａの背面と第２筐体２００Ａの背面とを区別が容易になる。
【０１２９】
以上説明したように、本実施の形態における複合装置１は、ＭＦＰ１００を収容する第１筐体１００Ａと、第１筐体１００Ａの下方に配置され、サーバー２００を収容する第２筐体２００Ａと、第１筐体１００Ａと第２筐体２００Ａとの間の空間に配置され、光を照射する発光部３００と、を備える。このため、第１筐体１００Ａと第２筐体２００Ａとの間の空間から光が照射されるので、ＭＦＰ１００とサーバー２００との境界をユーザーに通知することができる。これにより、ユーザーは、ＭＦＰ１００に対する操作とサーバー２００に対する操作とを区別することができるので、ユーザーによる誤操作を低減することができる。また、発光部３００は、第２筐体２００Ａの上面３１３に光を照射するように照射角度が調整されて配置されるので、ユーザーに間接光で境界を通知することができる。
【０１３０】
また、発光部３００は、第２筐体２００Ａの上面３１３の外縁から第１の距離Ｌ以上離れた照射領域（第１の領域）３１７に光を照射するように照射範囲が調整されて配置されるので、複合装置１から所定の距離以内に位置するユーザーには、サーバー２００とＭＦＰ１００との境界を通知しないようにすることができる。操作パネル１６０を操作するユーザーの目に照射領域３１７で反射した光が届かないようにすることができ、ユーザーがサーバー２００の状態を誤解しないようにすることができる。
【０１３１】
また、第２筐体２００Ａの上面３１３で第２筐体２００Ａの上面３１３の外縁からの距離が第２の距離以下の非反射領域（第２の領域）の光の反射率は、第２筐体２００Ａの上面３１３の非反射領域以外の領域の反射率より低いので、複合装置１から所定の距離以内に位置するユーザーには、サーバー２００とＭＦＰ１００との境界を通知しないようにすることができる。操作パネル１６０を操作するユーザーの目に第２筐体２００Ａの上面３１３の非反射領域以外の領域で反射した光が届かないようにすることができ、ユーザーがサーバー２００の状態を誤解しないようにすることができる。
【０１３２】
また、発光部３００は、水平方向に沿って配置された複数の光源３０１を含み、ＭＦＰ１００の状態に基づいて、複数の光源３０１の照射態様を制御するのでＭＦＰ１００の状態を通知することができる。
【０１３３】
また、複数の光源３０１のうちから１以上の光源の照射態様を変更するので、水平方向に配置された複数の光源の一部の照射態様が変更されるので、ＭＦＰ１００の状態が変化した部分をユーザーに通知することができる。
【０１３４】
また、ＭＦＰ１００に発生したエラーが検出される場合、検出されたエラーに基づいて、第１筐体１００Ａの４つの側面のいずれかを決定し、決定された側面に沿って配列される１以上の光源の照射態様を変更するので、ＭＦＰ１００のエラーに対応する側面をユーザーに通知することができる。
【０１３５】
また、ＭＦＰ１００の背面に対するユーザーの操作によりエラーが発生する場合、背面に対応する第４組の光源３０１の照射態様を変更するので、ＭＦＰ１００の背面とサーバー２００との背面をユーザーに通知することができ、ユーザーによるサーバー２００の背面に対する誤操作を防止することができる。
【０１３６】
また、照射態様を変更する複数の光源３０１に対応する対象側面と隣り合う２つの側面を誘導側面とし、２つの誘導側面それぞれに沿って配置された２以上の光源を誘導対象に決定し、２つの誘導側面それぞれにおいて、誘導対象に決定された２以上の光源の照射態様を変更するので、ＭＦＰ１００に発生したエラーに対応する対象側面に、ユーザーを誘導することができる。特に、２つの誘導側面それぞれにおいて、対象側面から遠い側から近い側に順に連鎖点灯するので、誘導側面を見るユーザーに対象側面を通知することができる。
【０１３７】
また、給紙トレイ１５１，１５３の用紙の残量が減少するエラーが検出される場合、誘導側面である右側面および左側面において、対象側面である正面に最も近い１つの光源３０１を点灯し、残りの１以上の光源３０１を消灯するので、ユーザーに操作対象が右側面および左側面の凹部１５６であることをユーザーに通知することができる。
【０１３８】
また、照度センサー２０７により検出された明るさに基づいて、発光部３００の光量を決定するので、発光部３００に複合装置１の周辺の明るさよりも明るい光を照射させることができる。
【０１３９】
また、サーバー２００に発生したエラーが検出される場合、検出されたエラーに基づいて、発光部３００の照射態様を変化させるので、サーバー２００のエラーをユーザーに通知することができる。
【０１４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４１】
１  複合装置、１００Ａ  第１筐体、２００Ａ  第２筐体、１００  ＭＦＰ、１１１  第１ＣＰＵ、１１２  通信Ｉ／Ｆ部、１１３  ＲＯＭ、１１４  ＲＡＭ、１１５  ファクシミリ部、１２０  自動原稿搬送装置、１３０  原稿読取部、１４０  画像形成部、１５０  給紙部、１５１，１５３  給紙トレイ、１５５  排紙トレイ、１５６  凹部、１６０  操作パネル、１６１  表示部、１６３  操作部、１６５  タッチパネル、１６７  ハードキー部、１９１  カバー、１９３  カバー、２００  サーバー、２０１  第２ＣＰＵ、２０２  ＲＯＭ、２０３  ＲＡＭ、２０４  ＨＤＤ、２０５  通信部、２０６  外部記憶装置、２０７  照度センサー、２０９  バス、２１０  スイッチ、３００  発光部、３０１  光源、３１１  底面、３１３  上面、３１５  外周領域、３１７  照射領域、４００  結合部材、５１  サーバー状態検出部、５３  状態検出部、５５  発光制御部、５７  照度取得部、６１  光源決定部、６３  誘導制御部、６５  駆動部。
【図１】
2018137672.tif 000003
【図２】
2018137672.tif 000004
【図３】
2018137672.tif 000005
【図４】
2018137672.tif 000006
【図５】
2018137672.tif 000007
【図６】
2018137672.tif 000008
【図７】
2018137672.tif 000009
【図８】
2018137672.tif 000010